(57)【要約】【課題】無線綴じ本に限られるが、外部から見えないことはもちろん、別工程を付加することなくインラインで製造することができ、製造時に不良を発生することがなく、しかも価格的な観点から実使用が可能なＩＣタグ付き本を提供すること。【解決手段】接着剤だけで折丁の背を接合する無線綴じ方式の本であって、表紙の背部に隣接する脇糊部分３に帯状のＩＣタグ用インレット１０を埋め込んだ構成とする。外部からＩＣタグ用インレットが見えない状態になる。脇糊部分は背部に対するミーリング及びラフニングの影響を受けないので、インラインでこの部分にＩＣタグ用インレットを貼着してから、ミーリング及びラフニングを行い、しかる後にホットメルト塗布工程と表紙くるみ工程を行うことができる。くるみ工程の後のボトムプレスではサイドに掛かる圧力が弱いので、ＩＣタグ用インレットが破損する恐れがない。【選択図】図１
2006297763.tif 000002
【特許請求の範囲】
【請求項１】
接着剤だけで折丁の背を接合する無線綴じ方式の本であって、表紙の背部に隣接する脇糊部分に帯状のＩＣタグ用インレットを埋め込んだことを特徴とするＩＣタグ付き本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記した特許文献１に記載されている書籍、雑誌等の本は、背部の表紙内側にＩＣタグを備えた構造をしており、ＩＣタグが隠れて見えないという利点を有している。しかしながら、無線綴じ方式で製本する本の場合は次のような問題点がある。
【０００５】
無線綴じ方式では、接着剤だけで折丁の背を接合する方式であり、その接着剤で本文を背表紙に貼り合わせるが、接着強度を高めるために本文の背部に対してミーリング（切り削り）及びラフニング（荒び出し）を行う。すなわち、背の部分を２〜４ｍｍ切断し、ギザギサを入れたり毛羽立てを施した後、そこにホットメルトを塗布してから、くるみ工程で表紙を貼っている。このため、表紙の背部にＩＣタグを貼り込む場合、表紙のくるみ工程よりも前に、別工程で表紙の内面に対するＩＣタグの貼込み加工を行う必要がある。また、くるみ工程に続いて行うボトムプレス工程では、背の部分に大きな圧力が作用するので、ＩＣタグに外力が掛かって不良が発生する恐れがある。
【０００６】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このＩＣタグ用インレットを用いてタグ化することで、各種用途に応じた形態のＩＣタグを製造することができるようになっており、ＩＣタグの普及を図る上においてこの小さくて安価なＩＣタグ用インレットを利用することが望ましいという背景がある。
【０００７】
本発明は、上記のような問題点や事情に鑑みてなされたものであり、その目的とするところは、無線綴じ本に限られるが、外部から見えないことはもちろん、別工程を付加することなくインラインで製造することができ、製造時に不良を発生することがなく、しかも価格的な観点から実使用が可能なＩＣタグ付き本を提供することにある。
【課題を解決するための手段】
【０００８】
上記の目的を達成するため、本発明のＩＣタグ付き本は、接着剤だけで折丁の背を接合する無線綴じ方式の本であって、表紙の背部に隣接する脇糊部分に帯状のＩＣタグ用インレットを埋め込んだことを特徴としている。
【発明の効果】
【０００９】
本発明のＩＣタグ付き本は、表紙の背部に隣接した脇糊部分に帯状のＩＣタグ用インレットを埋め込んであるので、外部からＩＣタグ用インレットが見えない状態になる。また、脇糊部分は背部に対するミーリング及びラフニングの影響を受けないので、インラインでこの部分にＩＣタグ用インレットを貼着してから、ミーリング及びラフニングを行い、しかる後にホットメルト塗布工程と表紙くるみ工程を行うことができるため、予め表紙内面に貼り込むという別工程を付加する必要がなく、また、くるみ工程の後のボトムプレスではサイドに掛かる圧力が弱いので、ＩＣタグ用インレットが破損する恐れがない。しかも、大量生産による安価なＩＣタグ用インレットを使用し、これを折丁における脇糊部分に貼着するだけであるので、コスト的に見ても実使用が可能である。
【発明を実施するための最良の形態】
【００１０】
以下、具体例を挙げて本発明の実施の形態について説明する。
【００１１】
図１は本発明に係るＩＣタグ付き本の一例を示す斜視図である。
【００１２】
このＩＣタグ付き本Ｂは、接着剤だけで折丁の背を接合する無線綴じ方式の本であって、図示の如く本文１とその背部に糊付けされた表紙２とからなり、表紙２の背部に隣接する脇糊部分３に帯状のＩＣタグ用インレット１０が埋め込まれている。すなわち、脇糊部分３は背部に沿って所定幅で設けられるが、ＩＣタグ用インレット１０は、この脇糊部分３の中に位置して本の上下方向に埋設されている。したがって、ＩＣタグ用インレット１０は表紙２の内側に隠れて外部から見えない状態になっている。
【００１３】
ＩＣタグ用インレット１０としては、図２に示すようなものが使用される。このＩＣタグ用インレット１０は、０．０１〜０．５ｍｍ角の小さなＩＣチップ１１（例えばミューチップ）を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。またＩＣチップ１１は表面及び側面が樹脂封止された状態で外部アンテナ１２に接続される。外部アンテナ１２の略中央部には、その一端が外部アンテナ１２の外縁に達するＬ字状のスリット１４が形成されており、このスリット１４の途中に樹脂封止されたＩＣチップ１１が実装されている。また、ベースフィルム１３にはＩＣチップ１１や外部アンテナ１２を保護するためのカバーフィルムが必要に応じてラミネートされる。この外部アンテナ１２付きのＩＣチップ１１は、アンテナ内蔵型のＩＣチップを用いたものよりは通信距離が長く、広い範囲で用いることができるものであり、本発明で使用できるものとして色々の種類がある。このようなＩＣタグ用インレット１０は、印刷技術によりアンテナを作製することと、超音波接合技術により安価なフィルム素材を利用することで、大量生産でき、安価に供給することができる。このテープ状のＩＣタグ用インレットをロール状に巻き取った状態とし、丁合後の刷本における脇糊部分に対応する部位に対し、既存のシーラーにより順次繰り出しながら裁断しつつ、一個一個の帯状インレットを貼り付けるようにする。
【００１４】
図１に示すＩＣタグ付き本Ｂは、既存の無線綴じ機により製造される。無線綴じ機では、丁合された折丁４をジョギングにより突き揃えた後、図３に示すように、脇糊部分に相当する位置にＩＣタグ用インレット１０を貼着する。次いで、図４に示すように、背の部分を２〜４ｍｍ切断し、ミーリング（切り削り）及びラフニング（荒び出し）により切断面を引っ掻いて足掛かりを付ける。続いて表紙のくるみ工程に移り、図５に示すように、足掛かりを付けた背部にホットメルト５を塗布し表紙付けを行う。この時、ホットメルト５の背部に隣接する脇糊部分３にも塗布するが、ＩＣタグ用インレット１０はこのホットメルトで覆われる。この表紙付けではカバーブレーカー（プレス）によりボトムプレス及びサイドプレスが行われるが、サイドプレスはボトムプレスに比べて弱いので、脇糊部分３に位置するＩＣタグ用インレット１０には破損するほどの外力は掛からない。このように表紙付けを行った後、仕上げ断裁を経て図１に示すＩＣタグ付き本Ｂが製造される。
【００１５】
以上、具体例を挙げて本発明を説明したが、本発明によるＩＣタグ付き本は、上記の例に何ら限定されるものではなく、本発明の趣旨を逸脱しない範囲において種々の変更が可能であることは当然のことである。
【図面の簡単な説明】
【００１６】
【図１】本発明に係るＩＣタグ付き本の一例を示す斜視図である。
【図２】本発明で使用するＩＣタグ用インレットの一例を示す平面図である。
【図３】図１に示すＩＣタグ付き本の製本工程における途中の説明図である。
【図４】図３に続く説明図である。
【図５】図４に続く説明図である。
【符号の説明】
【００１７】
Ｂ  ＩＣタグ付き本
１  本文
２  表紙
３  脇糊部分
４  折丁
５  ホットメルト
１０  ＩＣタグ用インレット
１１  ＩＣチップ
１２  外部アンテナ
１３  ベースフィルム
１４  スリット
【図１】
2006297763.tif 000003
【図２】
2006297763.tif 000004
【図３】
2006297763.tif 000005
【図４】
2006297763.tif 000006
【図５】
2006297763.tif 000007